(57)【要約】【課題】特別なリモコン装置を用いなくても、複数の利用者が表示装置の表示画面を複数に分割等して視聴することができる表示装置、リモコン装置、プログラム及び表示方法を提供する。【解決手段】リモコン信号を受信するリモコン信号受信手段と、受信したリモコン信号の発信元を判別するリモコン信号判別手段と、判別した発信元に基づいて、受信したリモコン信号による操作が有効であるか否かを識別するリモコン信号識別手段と、有効な操作である場合に、受信したリモコン信号に応じて表示画面を変化させる表示手段とを備える。【選択図】図１
2008011050.tif 000002
【特許請求の範囲】
【請求項１】
リモコン信号を受信するリモコン信号受信手段と、
受信した前記リモコン信号の発信元を判別するリモコン信号判別手段と、
判別した前記発信元に基づいて、受信した前記リモコン信号による操作が有効であるか否かを識別するリモコン信号識別手段と、
有効な操作である場合に、受信した前記リモコン信号に応じて表示画面を変化させる表示手段と、
を備えることを特徴とする表示装置。
【請求項２】
前記リモコン信号識別手段は、判別した前記発信元が新規の発信元である場合には、受信したリモコン信号の操作が有効であると識別することを特徴とする請求項１に記載の表示装置。
【請求項３】
前記表示手段は、前記既に受信したリモコン信号の発信元により操作される表示画面と受信した前記リモコン信号の発信元により操作される表示画面とに表示画面を分割することを特徴とする請求項２に記載の表示装置。
【請求項４】
前記リモコン信号識別手段は、前記リモコン信号の発信元の受信順序の情報を記憶し、受信した前記順序の情報に基づいて受信した前記リモコン信号が有効であるか否かを識別することを特徴とする請求項１に記載の表示装置。
【請求項５】
前記表示手段は、前記受信順序の情報に基づいて、前記発信元が操作する表示画面の位置及び大きさを決定し、前記決定された位置及び大きさで表示することを特徴とする請求項４に記載の表示装置。
【請求項６】
請求項１から請求項５までのいずれかに記載の表示装置に対して、リモコン信号を送信することを特徴とするリモコン装置。
【請求項７】
リモコン信号を受信する第１のステップと、
受信した前記リモコン信号の発信元を判別する第２のステップと、
判別した前記発信元に基づいて、受信した前記リモコン信号による操作が有効であるか否かを識別する第３のステップと、
有効な操作である場合に、受信した前記リモコン信号に応じて表示画面を変化させる第４のステップと、
をコンピュータに実行させるためのプログラム。
【請求項８】
リモコン信号を受信するリモコン信号受信過程と、
受信した前記リモコン信号の発信元を判別するリモコン信号判別過程と、
判別した前記発信元に基づいて、受信した前記リモコン信号による操作が有効であるか否かを識別するリモコン信号識別過程と、
有効な操作である場合に、受信した前記リモコン信号に応じて表示画面を変化させる表示過程と、
を備えることを特徴とする表示方法。
【発明の詳細な説明】
【技術分野】
【０００１】
本発明は、表示装置、リモコン装置、プログラム及び表示方法に関し、特に複数のリモコン装置により操作される画像を表示するための表示装置、リモコン装置、プログラム及び表示方法に関する。
【背景技術】
【０００２】
近年、テレビ機器がデジタル放送対応化、双方向化、ネットワーク化し、従来のアナログ放送の視聴のみではなく、デジタル放送を視聴して双方向番組に参加したり、Ｗｅｂブラウザを利用してネットコンテンツを視聴したり、メールを閲覧、送信したりする用途が広がっている。
また、ハイビジョン放送、薄型テレビの普及に伴い、大型の表示画面を有するテレビが家庭に普及し始めている。
もともとテレビは、家庭内で家族の複数人員が集まって１つの番組を視聴する用途が典型的であったが、表示画面の大型化、用途の多様化に伴い、家庭内で複数の人員が異なる用途でテレビを使いたいという要望が出てきている。
テレビの表示画面を複数に分割して、複数の用途に応じた表示を行うことは従来から知られているが、１つのテレビに付属しているリモコン装置は通常１つであり、複数の人がリアルタイムで同時に各自使いたい操作をするには、リモコン装置を頻繁に手渡しして、それぞれの用途の画面の操作に切り替えて、操作を行う必要があり、操作が煩雑であるという問題があった。
【０００３】
特許文献１には、上記の問題を解決する方法、つまり、分離可能なリモコン装置を用いて、リモコン装置を分離した際に分離信号をリモコン装置からテレビに送信し、その分離信号を受信したテレビにより表示画面を複数に分割する技術が開示されている。
【特許文献１】特開２００４−１８７２７６号公報
【発明の開示】
【発明が解決しようとする課題】
【０００４】
しかし、特許文献１の技術では、分離可能なリモコン装置に、複数のリモコン装置の分離や合体を検知するための機能を設ける必要があった。同時に利用できるリモコン装置を３台、４台と増やすときも、専用のリモコン装置を用意しなければならないという問題があった。
また、特許文献１の技術では、親機と子機とを必ず同じ場所、かつ電源がＯＮの状態で使う必要があり、その他の条件、例えば子機だけ持っている場合に、電源ＯＮ／ＯＦＦを含めてテレビを自由に操作することはできないという問題があった。
【０００５】
本発明は、上記事情に鑑みてなされたものであり、その目的は、特別なリモコン装置を用いなくても、複数の利用者が表示装置の表示画面を複数に分割等して視聴することができる表示装置、リモコン装置、プログラム及び表示方法を提供することにある。
【課題を解決するための手段】
【０００６】
本発明の表示装置は、上記課題を解決するためになされたもので、リモコン信号を受信するリモコン信号受信手段と、受信した前記リモコン信号の発信元を判別するリモコン信号判別手段と、判別した前記発信元に基づいて、受信した前記リモコン信号による操作が有効であるか否かを識別するリモコン信号識別手段と、有効な操作である場合に、受信した前記リモコン信号に応じて表示画面を変化させる表示手段とを備える。
【０００７】
また、本発明の表示装置は、前記リモコン信号識別手段は、判別した前記発信元が新規の発信元である場合には、受信したリモコン信号の操作が有効であると識別する。
【０００８】
また、本発明の表示装置は、前記表示手段は、前記既に受信したリモコン信号の発信元により操作される表示画面と、受信した前記発信元により操作される表示画面とに表示画面を分割する。
【０００９】
また、本発明の表示装置は、前記表示手段は、前記既に受信したリモコン信号の発信元により操作される表示画面と受信した前記リモコン信号の発信元により操作される表示画面とに表示画面を分割する。
【００１０】
また、本発明の表示装置は、前記表示手段は、前記受信順序の情報に基づいて、前記発信元が操作する表示画面の位置及び大きさを決定し、前記決定された位置及び大きさで表示する。
【００１１】
また、本発明のリモコン装置は、リモコン信号を受信するリモコン信号受信手段と、受信した前記リモコン信号の発信元を判別するリモコン信号判別手段と、判別した前記発信元に基づいて、受信した前記リモコン信号による操作が有効であるか否かを識別するリモコン信号識別手段と、有効な操作である場合に、受信した前記リモコン信号に応じて表示画面を変化させる表示手段とを備える表示装置に対して、リモコン信号を送信する。
【００１２】
また、本発明のプログラムは、リモコン信号を受信する第１のステップと、受信した前記リモコン信号の発信元を判別する第２のステップと、判別した前記発信元に基づいて、受信した前記リモコン信号による操作が有効であるか否かを識別する第３のステップと、有効な操作である場合に、受信した前記リモコン信号に応じて表示画面を変化させる第４のステップとをコンピュータに実行させる。
【００１３】
また、本発明の表示方法は、リモコン信号を受信するリモコン信号受信過程と、受信した前記リモコン信号の発信元を判別するリモコン信号判別過程と、判別した前記発信元に基づいて、受信した前記リモコン信号による操作が有効であるか否かを識別するリモコン信号識別過程と、有効な操作である場合に、受信した前記リモコン信号に応じて表示画面を変化させる表示過程とを備える。
【発明の効果】
【００１４】
本発明では、リモコン信号を受信し、受信したリモコン信号の発信元を判別し、判別した発信元に基づいて、受信したリモコン信号による操作が有効であるか否かを識別し、有効な操作である場合に、受信したリモコン信号に応じて表示画面を変化させるようにした。
これにより、特別なリモコン装置を用いなくても、複数の利用者が表示装置の表示画面を複数に分割等して視聴することができる。
【発明を実施するための最良の形態】
【００１５】
以下、本発明の実施の形態を図面を参照して説明する。
図１は、本発明の実施形態による表示システムの概略構成図である。この表示システムは、表示装置１０１、第１の遠隔操作端末１０２（リモコン装置）、第２の遠隔操作端末１０３（リモコン装置）を備えている。ここで、遠隔操作端末とは、リモコン装置の機能を持つリモコン装置一般を指す。通常のテレビ機器やビデオ機器等の機器を操作するリモコン装置のみでなく、機器を操作するリモコン装置の機能を備えているものや、リモコン装置の機能を備えることが可能な携帯電話、ＰＤＡ（Personal Digital Assistants）もリモコン装置である。
【００１６】
表示装置１０１は、放送局１０４から番組等を無線、有線、光通信などにより受信して、その番組等を表示画面１０１ｃに表示する。表示画面１０１ｃとしては、液晶表示画面、プラズマ表示画面、ＣＲＴ（Cathode Ray Tube）表示画面などを用いることができる。
また、ネットコンテンツを通信回線やネットワーク経由でコンテンツプロバイダ１０５から受信して、表示画面１０１ｃに表示することもできる。表示装置１０１は、赤外線受信を行うための、リモコン信号受信部１０１ａ、本体電源スイッチ１０１ｂを備える。
リモコン信号受信部１０１ａは、第１の遠隔操作端末１０２又は第２の遠隔操作端末１０３から送信されるリモコン信号を受信する。本体電源スイッチ１０１ｂは、表示装置１０１の電源のＯＮ／ＯＦＦを切り替えるためのスイッチである。
【００１７】
第１の遠隔操作端末１０２は、表示装置１０１を遠隔操作するための機器であり、表示装置１０１の電源のＯＮ／ＯＦＦ、音量調整、選局、入力切替などを行う。第１の遠隔操作端末１０２は、表示装置１０１に対して赤外線によりリモコン信号を送信するための、リモコン信号送信部１０２ａを備えている。
【００１８】
第２の遠隔操作端末１０３は、第１の遠隔操作端末１０２とは別のリモコン機器であって、表示装置１０１を遠隔操作するための機器である。第２の遠隔操作端末１０３は、表示装置１０１の電源のＯＮ／ＯＦＦ、音量調整、選局、入力切替などを行うものであるが、リモコン信号送信部１０３ａから表示装置１０１に送信するリモコン信号、例えば赤外線信号は、第１の遠隔操作端末１０２のものとは別の赤外線信号が割り当てられている点で異なる。
第１の遠隔操作端末１０２や第２の遠隔操作端末１０３としては、別機種テレビ用のリモコン装置のほか、ＤＶＤ（Digital Versatile Disk）用、エアコン用、オーディオ用リモコン装置、学習リモコン装置などを用いることができる。また、第１の遠隔操作端末１０２や第２の遠隔操作端末１０３として、赤外線発信機能付きの携帯電話を用いることもできる。遠隔操作端末の数は、２台に限定されるものではなく、お互いに異なる赤外線信号が割り当てられる限り、数を更に増やしてもよい。
また、既存のリモコン信号を用いるのではなく、新たに固有のリモコン信号を定義して用いてもよい。
【００１９】
図２は、本発明の実施形態による表示装置１０１（図１）の構成の一例を示す機能ブロック図である。表示装置１０１は、電源２００、信号判別部２２２、リモコン電源制御部２１３、本体電源制御部２１４、表示部２２５、音声再生制御部２２１、個人情報記憶部２２４を有する。
表示部２２５（表示手段）は、出力制御部２０４、表示出力制御部２２３を有する。第１の遠隔操作端末１０２や第２の遠隔操作端末１０３から送信されるリモコン信号が有効な操作であると信号種類処理部２０３が識別した場合に、表示部２２５は受信したリモコン信号に応じて表示画面を変化させる。ここで、表示画面を変化させるとは、例えば、既に受信したリモコン信号の発信元により操作される表示画面と受信したリモコン信号の発信元により操作される表示画面とに表示画面を分割することなどをいう。
表示部２２５は、信号種類処理部２０３（後述する図３）に記憶された発信元の受信順序の情報に基づいて、発信元が操作する表示画面の位置及び大きさを決定し、その決定された位置及び大きさで表示する。
【００２０】
個人情報記憶部２２４は、利用者を特定する情報を記憶する。この情報は、受信したリモコン信号から個人を特定し、特別な動作、または優先権を与える場合に使用される。
電源２００は、コンセントなどから電力の供給を受け、表示装置１０１の各部を駆動する。電源２００のＯＮ／ＯＦＦは、リモコン電源制御部２１３や本体電源制御部２１４が制御する。
リモコン電源制御部２１３は、第１の遠隔操作端末１０２や第２の遠隔操作端末１０３から送信されるリモコン信号による電源ＯＮ／ＯＦＦの操作により表示装置１０１の電源２００を制御する。また、本体電源制御部２１４は、本体電源のＯＮ／ＯＦＦの操作に対応して表示装置１０１の電源２００を制御する。
【００２１】
図３は、本発明の実施形態による信号判別部２２２（図２）の構成の一例を示す機能ブロック図である。信号判別部２２２は、リモコン信号受信部２０１（リモコン信号受信手段）、信号検出部２０２（リモコン信号判別手段）、信号種類処理部２０３（リモコン信号識別手段）を有する。
リモコン信号受信部２０１は、リモコン装置である第１の遠隔操作端末１０２や第２の遠隔操作端末１０３から送信されるリモコン信号を受信する。
信号検出部２０２は、リモコン信号受信部２０１が受信したリモコン信号の発信元を判別する。
信号種類処理部２０３は、信号検出部２０２が判別したリモコン信号の発信元に基づいて、受信したリモコン信号による操作が有効であるか否かを識別する。この識別の方法としては、信号検出部２０２が判別した発信元が新規の発信元である場合には、受信したリモコン信号の操作が有効であると識別することなどにより行う。また、識別の方法として、リモコン信号の発信元の受信順序の情報を記憶し、受信した順序の情報に基づいて受信したリモコン信号が有効であるか否かを識別することもできる。
信号検出部２０２の処理結果は、出力制御部２０４（図２）に出力される。
【００２２】
図４は、本発明の実施形態による表示出力制御部２２３、音声出力制御部２２１（図２）の構成の一例を示す機能ブロック図である。
表示出力制御部２２３は、チューナー２０５ａ、２０５ｂ、通信部２０６、入力ソース制御部２０７ａ、２０７ｂ、２０７ｃ、画像表示部２０８ａ、２０８ｂ、２０８ｃ、画面レイアウト設定部２１０、全体画面表示部２１１を有する。
チューナー２０５ａ、２０５ｂは、アナログ、デジタルの双方を含むテレビ地上波、衛星放送波、ケーブル放送波、ネットワーク経由による映像配信などの方法で、放送局１０４（図１）やコンテンツプロバイダ１０５（図１）から送信される映像ソース信号をチャンネル毎に選択して受信する。複数の放送を同時に受信する場合、その数の分だけチューナーが必要となる。
【００２３】
通信部２０６は、双方向コンテンツを表示画面１０１ｃに表示する際に、放送局１０４やネットコンテンツプロバイダ１０５と通信を行う。
入力ソース制御部２０７ａ、２０７ｂ、２０７ｃは、チューナー２０５ａ、２０５ｂや通信部２０６で受信された映像ソース信号をデコードし、表示可能な映像データに変換する。複数の放送を同時に受信する場合、その数の分だけ入力ソース制御部が必要となる。
画像表示部２０８ａ、２０８ｂ、２０８ｃには、入力ソース制御部２０７ａ、２０７ｂ、２０７ｃからそれぞれ映像データが入力される。画像表示部２０８ａ、２０８ｂ、２０８ｃは、後述するように、映像ソースについて画素レベルの描画データの設定を行う。複数の番組等を同時に表示画面１０１ｃに表示する場合には、その数だけ表示画面１０１ｃ上で画像を表示する画像表示部が必要となる。
画面レイアウト設定部２１０は、画像表示部２０８ａ、２０８ｂ、２０８ｃで設定された複数の描画データを、表示画面１０１ｃに配置する。配置された描画データは、表示画面１０１ｃすなわち全体画像表示部２１１で表示される。
【００２４】
音声出力制御部２２１は、音声再生部２０９、音声出力部２１２を有する。音声再生部２０９は、音声データの再生処理を行う。複数の映像ソースの音声は、必要な場合はミキシングされて再生処理が行われ、音声出力部２１２から出力される。
【００２５】
図５は、本発明の実施形態による表示装置（本体）の電源２００（図２）の状態遷移図の一例である。初期状態では、表示装置１０１（本体）の電源２００はＯＦＦの状態１９０１ａであり、電源が入っていないので、リモコン装置の電源ボタンは受け付けない。本体電源スイッチ１０１ｂ（図２）を押すと、状態１９０１ａから、本体電源ＯＮ初期状態１９０２ａに移行する。この状態１９０２ａでは、テレビ放送などの画像が表示画面１０１ｃに表示される。この状態１９０２ａでは、どのリモコン信号もまだ受信していない状態である。この状態１９０２ａでリモコン装置の電源ボタンが押されると、リモコン電源ＯＦＦ状態１９０４ａとなり、表示画面１０１ｃに表示されている画像が消え、スリープ状態に入るが、リモコン装置からのリモコン信号は受け付ける。
【００２６】
本体電源ＯＮ初期状態１９０２ａの状態でリモコン電源以外のリモコン装置ボタンが押されると、状態１９０２ａから、リモコン電源ＯＮ状態１９０３ａとなり、テレビ（表示装置１０１）の操作が行われる。
リモコン電源ＯＮ状態１９０３ａと、リモコン電源ＯＦＦ状態１９０４ａは、リモコン装置の電源ボタンを押すことによりお互いの状態へと移行する。
本体電源ＯＮ初期状態１９０２ａ、リモコン電源ＯＮ状態１９０３ａ、リモコン電源ＯＦＦ状態１９０４ａの状態のときに、本体の電源スイッチを押すと、本体電源ＯＦＦ状態１９０１ａに移行する。
【００２７】
図６は、本発明の実施形態による表示装置（本体）の電源２００（図２）の状態遷移図の他の一例である。この状態遷移図は、表示装置１０１の本体電源スイッチ１０１ｂ（図１）が設けられていないか、本体電源スイッチ１０１ｂが設けられていても直接用いない場合を示している。図６は、図５における状態１９０２ａが存在しない。
【００２８】
図７（ａ）、図７（ｂ）は、本発明の実施形態によるリモコン装置の外観の一例を示す図である。図７（ａ）は、リモコン装置（第１の遠隔操作端末１０２（図１））の外観を示している。第１遠隔操作端末１０２には、表示装置１０１を制御するためのボタンが複数設けられている。第１の遠隔操作端末１０２には、リモコン電源ボタンｂ０１や、テレビ操作のためのボタン（選局上下ボタンｂ０２、ｂ０３、音量上下ボタンｂ０４、ｂ０５、選局番号ボタンｂ０６〜ｂ１７、上下左右カーソルボタンｂ１８、決定ボタンｂ１９、ＥＰＧ（Electronic Program Guide）ボタンｂ２０、メニューボタンｂ２１、デジタル放送を受信するための「ｄ」ボタンｂ２２、選局切替ボタンｂ２３〜ｂ３４、映像切替ボタンｂ３４、音声切替ボタンｂ３５、字幕ボタンｂ３６、音声多重ボタンｂ３７、音声ミュートボタンｂ３８、色ボタンｂ３９〜ｂ４２（青、赤、緑、黄）などが設けられている。テレビの機種により、これらのボタンの一部のみがある場合や、これらのボタン以外の種類のボタンがある場合もある。
本実施形態では、通常のテレビを操作するリモコン装置を前提としているが、テレビのリモコン装置ではなく、電源ボタン、数字ボタン、カーソルキーなど、最低限のボタンがあるリモコン装置を使用してもよい。
【００２９】
図７（ｂ）は、リモコン装置（第２の遠隔操作端末１０３（図１））の外観を示している。第２の遠隔操作端末１０３は携帯電話であり、表示装置１０１であるテレビを遠隔するためのリモコン装置の機能を備えている。第２の遠隔操作端末１０３は、数字ボタンｂ５０、上下左右カーソルボタンｂ５１、決定ボタンｂ５２、ファンクションボタンｂ５３などを備えている。
【００３０】
図８は、本発明の実施形態による第１の遠隔操作端末１０２の構成の一例を示す機能ブロック図である。なお、第２の遠隔操作端末１０３の構成は、第１の遠隔操作端末１０２の構成（図８）と同様であるのでその説明を省略する。第１の遠隔操作端末１０２は、操作入力部９０１ｂ、信号生成部９０２ｂ、信号出力部９０３ｃを有する。
操作入力部９０１ｂは、第１の遠隔操作端末１０２に設けられるボタンｂ０１〜ｂ３４を利用者が操作することにより、押下されたボタンに対応する電気信号を信号生成部９０２ｂに出力する。
信号生成部９０２ｂは、操作入力部９０１ｂから出力される電気信号に応じて、カスタム・コード、データ・コード、コマンド種類などを含むリモコン信号を生成し、信号出力部９０３ｃに出力する。
信号出力部９０３ｃは、信号生成部９０２ｂから出力されるリモコン信号を、赤外線信号に変換して、リモコン信号送信部１０２ａ（図１）から表示装置１０１へ送信する。
【００３１】
図９（ａ）は、本発明の実施形態によるリモコン信号受信部２０１（図３）の構成の一例を示す機能ブロック図である。リモコン信号受信部２０１は、アンプ３０１、バンドパスフィルター３０２、検波部３０３、波形整形部３０４を有する。
発光ダイオード３００は、リモコン装置から送信されるリモコン信号を受信して電気信号に変換し、リモコン信号受信部２０１へ出力する。そして、リモコン信号受信部２０１に入力されたリモコン信号は、アンプ３０１で増幅され、バンドパスフィルター３０２で点滅光に対応する適切な周波数信号のみが取り出される。赤外線は、およそ７５０〜１０００ｎｍの波長の光で、身の周りのあらゆる物から放射されている。これらの自然に放射されている赤外線とリモコン装置で利用する赤外線とを分離するため、連続光ではなく３５ｋＨｚ〜４０ｋＨｚ程度のキャリアで変調された点滅光を使用している。
【００３２】
図９（ｂ）は、本発明の実施形態によるバンドパスフィルター３０２（図９（ａ））の構成の一例を示す機能ブロック図である。このバンドパスフィルター３０２は、バンドパスフィルター３０２１、３０２２、３０２３、比較回路３０２４を有する。
アンプ３０１（図９（ａ））から出力される信号は、バンドパスフィルター３０２１、３０２２、３０２３にそれぞれ入力される。バンドパスフィルター３０２１は中心周波数が３６．７ｋＨｚの信号を通過させる。また、バンドパスフィルター３０２２は中心周波数が３７．９ｋＨｚの信号を通過させる。また、バンドパスフィルター３０２３は中心周波数が４０．０ｋＨｚの信号を通過させる。
バンドパスフィルター３０２１、３０２２、３０２３から出力される信号は、比較回路３０２４に入力される。
比較回路３０２４は、バンドパスフィルター３０２１、３０２２、３０２３から出力される信号のいずれを波形成形部３０４に出力するかを、バンドパス周波数の値に基づいて決定する。ここでは、バンドパス周波数の値として、一番利得が高い周波数の値を選択している。
【００３３】
図１０（ａ）〜図１０（ｃ）は、リモコン信号受信部２０１が利用するキャリア周波数が３８ｋＨｚである場合について説明するための図である。図１０（ａ）の一部を拡大したものが図１０（ｂ）であり、図１０（ｂ）の一部を拡大したものが図１０（ｃ）である。図１０（ｃ）では、発光が８．５μｓ（マイクロ秒）、消光が２６．５μｓであり、デューティー比が１／３となっている。キャリア周波数は、メーカーごと、機器ごとに異なる場合もある。このキャリア周波数の違いは、信号が十分強い場合、バンドパスフィルター３０２にてピークを検出することにより判別することができる。
【００３４】
図１１は、本発明の実施形態によるバンドパスフィルター３０２の特性の一例を示すグラフである。図１１において、横軸は周波数（ｋＨｚ）を示しており、縦軸は利得（ｄＢ）を示している。リモコン信号の種類を判別するために、バンドパスフィルター３０２にてピークの周波数を検出して、そのピークの周波数を記憶する。例えば、バンドパスフィルター３０２は、ピークの周波数がｆ０＝３６．７ｋＨｚ、ｆ０＝３７．９ｋＨｚ、ｆ０＝４０．０ｋＨｚのいずれに該当するかに応じて、リモコン信号の種類を判別する。
バンドパスフィルター３０２を通ったリモコン信号は、検波部３０３、波形整形部３０４を通り、信号検出部２０２（図３）等に出力される。
【００３５】
図１１における３本の曲線ｇ１、ｇ２、ｇ３は、それぞれ３つのバンドパスフィルター３０２１、３０２２、３０２３（図９（ｂ））が受信できる周波数帯域の特性を示している。キャリア周波数の測定は、３つのバンドパスフィルター３０２１、３０２２、３０２３の利得を比較することにより行われる。例えば、キャリア周波数が３７．９ｋＨｚのリモコン信号を受信した場合、中心周波数３８．００ｋＨｚのバンドパスフィルターにおける利得は約−４ｄＢであり、中心周波数３７．９ｋＨｚのバンドパスフィルターにおける利得は約０ｄＢであるので、受信したリモコン信号のキャリア周波数（ピーク）は３７．９ｋＨｚであると判定することができ、その出力波形のみを検波部３０３（図９（ａ））に出力する。
【００３６】
図１２は、本発明の実施形態による信号検出部２０２（図３）の構成の一例を示す機能ブロック図である。信号検出部２０２は、リーダー信号検出部４０１、データ信号検出部４０２、コマンド解釈部４０３、コマンド送信部４０４を有する。これらの動作説明については、後述する。
信号検出部２０２は、変調符号化方式および、データフォーマットに応じて、必要なデータを取り出す。リモコン信号で用いられる変調符号化方式には、ＰＰＭ（Pulse Position Modulation）、Ｍａｎｃｈｅｓｔｅｒ、Ｐｕｌｓｅ  Ｗｉｄｔｈ、Ｐｕｌｓｅ  Ｎｕｍｂｅｒなどがある。最も一般的に用いられているのはＰＰＭである。
【００３７】
図１３（ａ）及び図１３（ｂ）は、ＰＰＭの変調符号化方式について説明するための図である。ＰＰＭ方式は、赤外線の点灯時間と消灯時間のパルス間隔の違いで２進数のビット０と１を表現する方式で、日本製機器における赤外線リモコン装置の制御信号の殆どがこの方式を採用している。０／１の符号化には以下の２種類の方式がある。
図１３（ａ）は、消灯時間の長さで０と１とを判定する方式で、例えば、消灯時間の長さがＴである場合には０と判定し、消灯時間の長さが２Ｔである場合には１と判定する。
図１３（ｂ）は、点灯時間の長さで０と１とを判定する方式であり、点灯時間の長さがＴである場合には０と判定し、点灯時間の長さが２Ｔである場合には１と判定する。
ここで、単位パルス時間長Ｔは、一定であるが、符号化に関する時間長は後述するように、各メーカーにより様々である。
【００３８】
図１４は、本発明の実施形態で用いられるリモコン信号のデータ構成の一例を示す図である。リモコン信号は、リーダー信号、データ信号、ストップ信号により構成される。リーダー信号は、リモコン信号が始まることを示す信号である。データ信号は、制御コードをＰＰＭ信号で送信するための信号である。ストップ信号は、リモコン信号が終了することを示す信号である。この他に、リモコン装置上のボタンを押し続けている間等に送信されるリピート信号がある。このリピート信号は、リーダー信号とストップ信号のみで編成されデータ信号を含まない。
【００３９】
リーダー信号は一定期間のＯＮ状態と一定期間のＯＦＦ状態からなり、この部分はその後のデータ部分とは波形（時間）が大きく異なるので、容易にリーダー・コードであることを識別できるようになっている。リーダー信号の判断基準は、メーカーや機器により異なる。例えば、標準として知られている、家電製品協会が定めている家製協フォーマットでは、リーダー信号のＯＮ状態が８Ｔ、ＯＦＦ状態が４Ｔ、０．３５ｍｓ（ミリ秒）＜Ｔ＜０．５ｍｓと定められている。また、多くの企業が採用していて汎用性の高いＮＥＣフォーマットでは、リーダー信号のＯＮ状態が９０００μｓ、ＯＦＦ状態が４５００μｓ、と定められている。また、ＳＯＮＹのみが採用しているＳＯＮＹフォーマットでは、リーダー信号のＯＮ状態が２５００μｓ、ＯＦＦ状態が５５０μｓと定められている。この他にも、リーダー信号のＯＮ状態がＯＦＦ状態よりも短い方式、リーダー信号のＯＮ状態がＯＦＦ状態と同じ長さの方式、リーダー信号のＯＮ状態がＯＦＦ状態の１／４の長さの方式、リーダー信号のＯＮ状態の幅がある時間長以上の方式などがある。
【００４０】
図１２に戻り、リーダー信号検出部４０１は、リモコン信号受信部２０１から出力されるリーダー信号を検出し、予め記憶しているリーダー信号の種類の全て又は一部のリーダー信号と一致するか否かについて判定する。
データ信号は、上述の変調符号化された０と１の組み合わせで実際に操作する機器の種類や制御コードを示す部分で、データ構成はメーカーや機器により異なる種類のものが用いられている。
【００４１】
図１５は、データ信号の一例について説明するための図である。データ信号は、カスタム・コード（８ビット×２）、データ・コード（８ビット）、データ・コードの反転（８ビット）から構成されている。ここで、反転とは、ビットの１と０とを入れ替えることをいう。カスタム・コードの１つ目の８ビットでメーカーを識別し、次の８ビットで機器を識別し、次のデータ・コードで表示装置１０１（図１）などの機器に対する制御コードを送信する。
【００４２】
図１６は、データ信号の他の一例について説明するための図である。このデータ信号は、家製協フォーマットの例を示している。このフォーマットの場合、カスタム・コード（８×２ビット）、カスタム・コードのパリティ（４ビット）、データ・コード（４ビット）、データ（任意のバイト）からなる。カスタム・コードは、メーカー、機器などを表し家電製品協会にて管理されるコードである。
データ信号の終わりは、ストップ信号（またはトレーラ信号）にて示される。ストップ信号は、決まった長さのＯＮ状態とＯＦＦ状態の組み合わせで定義される。例えば、ＮＥＣフォーマットの場合、ストップ信号は５６０μｓ〜２３０００μｓとなる。
これとは別に、リモコン装置上のボタンを押し続けている間等に送信される、前回と同じ制御信号を繰り返すリピート・コードがある。これもいくつかの種類のフォーマットがあり、例えば、家製協フォーマットやＮＥＣフォーマットでは、このリピート・コードは、リーダー信号とストップ信号のみで編成される。
【００４３】
図１２に戻り、データ信号検出部４０２は、リーダー信号検出部４０１にて検出されたリーダー信号の識別結果と合わせて、カスタム・コード、データ・コード、リピート・コードを識別する。
コマンド解釈部４０３は、リモコン信号を記憶し、そのリモコン信号に含まれるコマンドのコマンド種類を特定する。
コマンド送信部４０４は、識別されたデータを外部に送信する。この際、必要に応じて１６ビットのＡＳＣＩＩ（American Standard Code for Information Interchange）コードや、あらかじめ割り当てられた操作コマンドの形などにデータを変換する。
【００４４】
信号種類処理部２０３（図３）には、リーダー信号検出部４０１、データ信号検出部４０２で識別された結果（リーダー信号種類、データ変調方式、搬送キャリア周波数、データビット長、繰り返し形式、繰り返しビット、信号間隔、カスタム・コード）を、受信履歴フラグ（必要に応じて）、および信号種類ＩＤ、受信順ＩＤと合わせて記憶しておく履歴管理テーブルが記憶されている。信号種類ＩＤとは、リモコン信号の種類によって操作できる画面をＩＤで割り当てた情報である。受信順ＩＤとは、表示装置１０１の電源がＯＮになってから信号種類を受けた順番を示す情報である。受信順位途中のリモコン装置の使用をやめると、その次以降のリモコン装置の受信順ＩＤが繰り上がる。
【００４５】
図１７は、本発明の実施形態による信号種類処理部２０３が記憶する履歴管理テーブルの一例を示す図である。履歴管理テーブルには、最初に受けたリモコン信号、次に受けたリモコン信号、更に次に受けたリモコン信号について、搬送キャリア周波数、データ符号化方式、リーダー・コード種類、カスタム・コード、信号種類ＩＤ、受信順ＩＤ、受信履歴フラグなどの情報が、それぞれ対応付けられて記憶されている。
ここでは、カスタム・コードが不明でも、その他のデータ列として記憶する。受信履歴フラグは、該当リモコン信号が受信開始されたときにフラグが１となり、そのリモコン装置の使用が終わったときに、フラグが０となる。受信履歴フラグは、照合の迅速化などが必要な場合などに使用するが、存在しなくてもよい。
受信順ＩＤ（受信順序の情報）は、表示装置１０１の電源がＯＮになってからリモコン信号種類を受けた順番を示す。受信順位途中のリモコン装置が使用をやめると、その次以降のリモコン装置の受信順ＩＤが繰り上がる。受信していない信号種類の受信順ＩＤは０（または−１）となり他の受信順ＩＤと区別される。
【００４６】
図１７の履歴管理テーブルには、これまでに表示装置が受信したリモコン信号のフォーマットの詳細が記憶される。履歴管理テーブルにおけるデータ変調周波数は、キャリア周波数を示しており、図１０（ｃ）の値を取得することにより記憶される。
データ符号化方式は、変調符号化方式を示している。パルス位置変調符号化方式は、変調符号化方式が、ＰＰＭ方式であることを示している。実際には、ビット１とビット０とが、それぞれＨｉの信号長と、Ｌｏの信号長の長さによって特定される。リーダー・コード種類は、リーダー信号の種類が、ＨｉとＬｏの信号長で決まるため、それらの信号長を記憶している。カスタム・コードは、ベンダー種類、機種の種類に応じて固有の値が割り当てられ、１と０のビット列のパターンとして表される。
カスタム・コードは、受信信号が既知のパターンであれば、そのパターンを用いるが、既知のパターンでない場合には、データ・コードも含め、そのパターンを記憶する。
信号種類ＩＤは、上記のリモコン信号のフォーマットの種類に割り当てられるＩＤである。この信号種類ＩＤは、既知でないリモコン信号を記憶する場合や、信号種類ＩＤとそれに対応するリモコン信号のフォーマットが動的に変化する場合などに用いられる。
【００４７】
図３に戻り、信号種類処理部２０３では、識別された結果のデータがそれ以前にも受信されていたかの照合を行う。照合された結果は、信号種類ＩＤとして、コマンド送信部４０４（図１２）から、識別されたデータと合わせて送信される。
【００４８】
図１８は、本発明の実施形態による表示装置１０１の処理の一例を示すフローチャートである。図１８のフローチャートは、表示装置１０１でリモコン信号を検出する処理を示している。
始めに、リモコン信号受信部２０１は、リモコン信号を受信する。具体的には、リモコン信号受信部２０１は、リモコン装置である第１の遠隔操作端末１０２又は第２の遠隔操作端末（図１）から送信されるリモコン信号（赤外線信号）を受信する（ステップＳ５０１）。そして、リモコン信号受信部２０１（図３）のアンプ３０１（図９（ａ））、バンドパスフィルター３０２、検波部３０３、波形整形部３０４による処理を行った後、信号検出部２０２に信号を出力する。
信号検出部２０２（図３）のリーダー信号検出部４０１（図１２）は、受信した信号にリーダー信号が含まれているかについて、予め記憶しているリーダー信号の種類全て又は一部のリーダー信号の種類と照合することにより検出する（ステップＳ５０２）。ステップＳ５０２でリーダー信号が検出されなかった場合には、ステップＳ５０１で受信した信号を無効と判定し、ステップＳ５０１の処理へ戻る。
【００４９】
リーダー信号検出部４０１は、リーダー信号を以下のような方法で検出する。信号検出部２０２は、例えば、クロック周波数４ＭＨｚ〜２０ＭＨｚ程度の1チップのマイコンが用いられるとともにタイマーを内蔵している。クロック周波数が４ＭＨｚの場合、最小1μs程度の単位で入力信号がＨｉ（＝１）であるか、Ｌｏ（=０）であるかを判定する。原理としては、プログラムによるポーリングで、タイマーを駆動することにより、１μｓおきに入力信号を検出する。検出の結果はＨｉ（＝１）であるか、Ｌｏ（=０）であるかのいずれかである。信号検出部２０２は、連続して同じ入力信号を受信したか否かについてカウントする。例えばＮＥＣフォーマットのリーダー信号では、Ｈｉが９０００μｓ、Ｌｏが４５００μｓであるので、最初にＨｉのカウンタの値が９０００、次にＬｏのカウンタの値が４５００であれば、入力信号がＮＥＣフォーマットのリーダー信号であると判定する。一方、最初にＨｉのカウンタの値が２５００、次にＬｏのカウンタの値が５５０の値であれば、入力信号がソニーフォーマットのリーダー信号であると判定する。
リーダー信号を検出する方法としては、ポーリングによる入力信号の検出のほか、入力変化をエッジ検出割り込み機能を用いて、次の割り込みまでの時間測定をタイマーのキャプチャ機能を使用して行う方法を用いることもできる。
【００５０】
ステップＳ５０２でリーダー信号が検出された場合は、検出されたリーダー信号を信号種類処理部２０３（図３）に記憶する（ステップＳ５０３）。
そして、信号検出部２０２（図３）のデータ信号検出部４０２（図１２）で、リーダー信号に後続するデータ信号及びストップ信号の検出を行う（ステップＳ５０４）。ステップＳ５０４でデータ信号及びストップ信号が検出されなかった場合には、ステップＳ５０１へ戻る。ステップＳ５０４でデータ信号及びストップ信号が検出された場合は、信号種類処理部２０３（図３）は、検出されたデータ信号（データ変調方式、データビット長、繰り返し形式、繰り返しビット、信号間隔）を記憶する（ステップＳ５０５）。
【００５１】
信号検出部２０２（図３）のデータ信号検出部４０２（図１２）で、データ信号及びリーダー信号の識別結果に基づいて、カスタム・コード、データ・コード、リピート・コードの検出を行う（ステップＳ５０６）。ステップＳ５０６で適当な信号が検出できない場合は、そのデータ列をそのまま利用する。ステップＳ５０６でカスタム・コード、データ・コード、リピート・コードを検出できなかった場合は、ステップＳ５０１に戻る。
ステップＳ５０６でカスタム・コード、データ・コード、リピート・コードを検出した場合には、信号種類処理部２０３（図３）は、検出したコードを記憶し（ステップＳ５０７）、後述する図１９のステップＳ６０１へ進む。
【００５２】
図１９は、本発明の実施形態による表示装置１０１の処理の一例を示すフローチャートである。図１９のフローチャートは、図１８のフローチャートによる処理に引き続いて実行されるリモコン信号受信時の信号解釈の処理を示している。
始めに、信号検出部２０２（図３）は、受信したリモコン信号の発信元を判別する。つまり、カスタム・コード、データ・コードからコマンド種類を解釈し記憶する（ステップＳ６０１）。具体的には、信号検出部２０２は、図１８のステップＳ５０１で受信したリモコン信号の信号種類を、信号判別部２２２（図３）のコマンド解釈部４０３（図１２）が解析することにより、そのリモコン信号がどのリモコン装置から送信されたものであるかを判別する。
【００５３】
図２０（ａ）及び図２０（ｂ）は、コマンド解釈部４０３に記憶される情報の一例を示す図である。コマンド解釈部４０３は、図２０（ａ）に示すようにリモコン信号の信号種類として、リーダー信号、符号化形式、カスタム・コードを記憶している。また、コマンド解釈部４０３は、図２０（ａ）の信号種類の時のコマンドの種類とデータ・コードの割り当てとして、コマンド種類、対応ＴＶアプリケーション、データ・コードを記憶している。コマンド種類としては、テレビ視聴に使われる通常のコマンド種類が記憶されているが、特別なアプリケーション起動のためのコマンドを追加で記憶しておいてもよい。ここで記憶されておらず、解釈できないコマンドについては、信号の値をそのまま返す。解釈された値は、コマンド解釈部４０３に記憶される。
【００５４】
図２０（ａ）は１種類のリモコン信号に関するテーブルを示しており、図２０（ｂ）は１種類のコマンド種類に関するテーブルを示している。実際には図２０（ａ）や図２０（ｂ）に示すテーブルが複数存在する。
図２０（ａ）に示すテーブルには、図１７に示すテーブルと同様に、受信したリモコン信号のフォーマットの種類を特定するための情報が記載されている。リーダー信号、符号化形式については図１７と同様である。なお、図２０（ａ）のカスタム・コードの４９ｈは、図１７のカスタム・コードを１６進表示したものであり、両者は同じ値を表わしている。カスタム・コードは、信号種類ＩＤを用いて置き換えることもできる。
【００５５】
図２０（ｂ）のコマンド種類及びデータ・コードの割り当ては、図２０（ａ）のリモコン信号のフォーマット種類と合わせて予め設定されており、テレビについては、電源、音量、チャネル、数字など、図７（ａ）のリモコン装置にて押されるボタンそれぞれに対応している。コマンド種類の名称は、テレビの場合、各社同じボタンを用いている場合が多いので、同じ名称を用いることができる。オリジナル信号とは、テレビにて、各社が独立して用いる機能を扱うコマンド種類を示している。別の会社のリモコンの場合、別の会社のオリジナル信号が存在する場合がある。
図２０（ｂ）のテーブルにおける対応ＴＶアプリケーションの列は、コマンド種類それぞれが、アプリケーション共通で使うコマンドであるか、あるアプリケーションに特化されたコマンドであるかを示しており、コマンドを処理する対象が、共通に処理する必要があるか、特定のアプリケーションに出力すればよいかを判定するために用いられる。例えば「音量上下キー」など、複数視聴者に共通に影響を与える共通コマンドについては、この共通コマンドを受け取るアプリケーションは存在しないため、これらコマンドは共通に処理される。これらのコマンドを使用することを禁止する必要が場合、その判定も併せて行う。他の例として、「カーソルキー」や「数字キー」は、テレビのメニュー表示時など、ある条件で共通に影響を与えるため、一旦共通コマンドとして処理され、判定の後、そのコマンドが必要とされているアプリケーションを検出し、そのアプリケーションに出力する。それ以外のコマンドは直接各アプリケーションに出力する。図２０（ｂ）のテーブルにおけるデータ・コードの列は、実際のリモコン信号のビット列を１６進数で表したものであり、コマンド種類ごとに固有の値が割り当てられる。
これら信号種類とコマンドの種類は、予め設定されるが、ユーザーによるリモコン装置の操作を学習したり、ネットワーク経由によりデータのアップデートにて更新、変更、追加したりすることもできる。
【００５６】
図１９に戻り、ステップＳ６０１で解釈したコマンド種類が、リモコン電源であるか否かについて判定する（ステップＳ６０２）。
ステップＳ６０２でコマンド種類がリモコン電源ではない場合は、表示装置１０１が現在、リモコン電源ＯＦＦ状態であるか否かについて判定する（ステップＳ６０３）。ステップＳ６０３でリモコン電源ＯＦＦ状態であると判定した場合は、前述した図１８のステップＳ５０１へ進む。
【００５７】
ステップＳ６０３でリモコン電源ＯＦＦ状態ではないと判定した場合は、受信した信号と同じ信号種類の受信の履歴があるか否かについて信号種類処理部２０３が判定する（ステップＳ６０４）。この判定は、受信した信号種類の受信順ＩＤ、又は、受信履歴フラグに基づいて行われる。
【００５８】
ステップＳ６０４で受信したリモコン信号と同じ信号種類の受信履歴がないと判定した場合は、必要に応じて受信した信号種類の受信履歴フラグをセットし、受信した信号種類に、信号種類ＩＤ、受信順ＩＤを割り当てる（ステップＳ６０５）。
一方、ステップＳ６０４で受信したリモコン信号と同じ信号種類を受信履歴があると判定した場合は、信号検出部２０２はその信号種類から、信号種類ＩＤ、受信順ＩＤを特定することにより（ステップＳ６０６）、その信号種類ＩＤから発信元がどのリモコンであるかを判別する。
そして、信号種類ＩＤ、受信順ＩＤ及び操作コマンドを出力制御部２０４に出力し（ステップＳ６０７）、図１８のステップＳ５０１へ戻る。
【００５９】
一方、ステップＳ６０２でコマンド種類がリモコン電源であると判定した場合は、表示装置１０１が現在、リモコン電源ＯＦＦ状態か否かについて判定する（ステップＳ６０８）。
ステップＳ６０８で表示装置１０１がリモコン電源ＯＦＦ状態であると判定した場合には、リモコン電源制御部２１３において画面ＯＮやスリープ状態からの復帰などのリモコン電源ＯＮ処理を行い、リモコン電源ＯＮ状態とする（ステップＳ６０９）。この場合、受信した信号と同じ信号種類の受信履歴はない状態のため、受信した信号種類の受信履歴フラグをセットし、受信した信号種類に、信号種類ＩＤ、受信順ＩＤを割り当てる（ステップＳ６１０）。
【００６０】
ステップＳ６０８で表示装置１０１がリモコン電源ＯＦＦ状態ではないと判定した場合には、本体電源ＯＮ初期状態か、リモコン電源ＯＮ状態であり、受信した信号と同じ信号種類の受信履歴があるか否かについて信号種類処理部２０３が判定する（ステップＳ６１１）。ステップＳ６１１で受信した信号と同じ信号種類の受信履歴がないと判定した場合は、前述したステップＳ６１０へ進む。ステップＳ６１１で受信した信号と同じ信号種類の受信履歴があると判定した場合は、その信号種類から、信号種類ＩＤ、受信順ＩＤを特定する（ステップＳ６１２）。
そして、特定された信号種類ＩＤ、受信順ＩＤ及び操作コマンドを出力制御部２０４に出力し（ステップＳ６１３）、図１８のステップＳ５０１へ戻る。
【００６１】
図２１は、本発明の実施形態による出力制御部２０４（図２）の構成の一例を示す機能ブロック図である。出力制御部２０４は、コマンド入力部７０１、コマンド判別部７０２、表示出力制御部７０３、画面レイアウト制御部７０４、アプリ管理部７０５、音声制御部７０８、音声出力制御部７０７、個人情報記憶制御部７０９、操作補助制御部７１０を有する。なお、ＴＶアプリケーション７０６は、放送局１０４（図１）やコンテンツプロバイダ１０５から配信される映像を、表示画面１０１ｃに表示するためのアプリケーションである。
これらは、ハードウェア的に構成される場合もあるが、中央演算装置（ＣＰＵ：Central Processing Unit）にてソフトウェア的に構成することもできる。
コマンド入力部７０１は、信号検出部２０２（図３）のコマンド送信部４０４（図１２）から操作コマンド、操作信号ＩＤ、受信順ＩＤを受け取る。コマンド判別部７０２は、ＴＶアプリケーション７０６が共通して受信するコマンドについて判別を行う。
また、コマンド判別部７０２は、操作信号ＩＤ、受信順ＩＤにおける、操作禁止コマンドを判定する。また、コマンド判別部７０２は、コマンド送信部４０４から出力される受信順ＩＤを管理する。
【００６２】
アプリ管理部７０５は、テレビ視聴の機能（テレビ視聴、データ放送視聴、番組表視聴、メール送受信、Ｗｅｂブラウザ視聴など）を、それぞれＴＶアプリケーション７０６として、そのＴＶアプリケーションの起動、終了、調停を行う。本体電源ＯＦＦ状態、リモコン電源ＯＦＦ状態に入る際に、これまでの状態を記憶しておき、再度電源が入ったときにその状態（ラスト情報）を再現する。また、複数のＴＶアプリケーションが同時に動作する際も、アプリ管理部７０５で管理を行う。
画面レイアウト制御部７０４は、１つ又は複数の画像を表示画面１０１ｃに表示する際の各画像の配置を決定する。決定された配置に従って、表示出力制御部７０３は、表示画面１０１ｃに各画像を表示する。ここでは、映像出力の優先順位を設定して制御を行う。
【００６３】
図２２は、画面レイアウト制御部７０４（図２１）が記憶する画面レイアウト設定テーブルの一例を示す図である。画面レイアウト設定テーブルには、画面の数ごとに配置画面、開始座標、画面サイズ、リモコン装置割り当て情報が記憶されている。
画面レイアウト設定テーブルのリモコン装置割り当て情報として、１種類のリモコン（受信順１のリモコン）のみが記憶されている場合には、その情報に対応付けられて、その受信順１のリモコンに割り当てられる配置画面（画面１）、開始座標（（ｘ，ｙ）＝（０，０））、画面サイズ（１９２０×１０８０画素）の情報が記憶される。
なお、ここでは、表示画面１０１ｃの画面サイズが、１９２０×１０８０画素である場合について説明する。また、開始座標の基準点として、表示画面１０１ｃの左上の点を（ｘ，ｙ）＝（０，０）としている。
【００６４】
また、画面レイアウト設定テーブルのリモコン装置割り当て情報として、２種類のリモコン（受信順１のリモコン、受信順２のリモコン）が記憶されている場合には、その情報に対応付けられて、受信順１のリモコン、受信順２のリモコンにそれぞれ割り当てられる配置画面（画面１、画面２）、開始座標（（ｘ，ｙ）＝（０，０）、（９６０，０））、画面サイズ（９６０×１０８０画素、９６０×１０８０画素）の情報が記憶される。
【００６５】
また、画面レイアウト設定テーブルのリモコン装置割り当て情報として、３種類のリモコン（受信順１のリモコン、受信順２のリモコン、受信順３のリモコン）が記憶されている場合には、その情報に対応付けられて、受信順１のリモコン、受信順２のリモコン、受信順３のリモコンにそれぞれ割り当てられる配置画面（画面１、画面２、画面３）、開始座標（（ｘ，ｙ）＝（０，０）、（９６０，０）、（９６０，５４０））、画面サイズ（９６０×１０８０画素、９６０×５４０画素、９６０×５４０画素）の情報が記憶される。
【００６６】
また、画面レイアウト設定テーブルのリモコン装置割り当て情報として、４種類のリモコン（受信順１のリモコン、受信順２のリモコン、受信順３のリモコン、受信順４のリモコン）が記憶されている場合には、その情報に対応付けられて、受信順１のリモコン、受信順２のリモコン、受信順３のリモコン、受信順４のリモコンにそれぞれ割り当てられる配置画面（画面１、画面２、画面３、画面４）、開始座標（（ｘ，ｙ）＝（０，０）、（０，５４０）、（９６０，０）、（９６０、５４０））、画面サイズ（９６０×５４０画素、９６０×５４０画素、９６０×５４０画素、９６０×５４０画素）の情報が記憶される。
【００６７】
なお、ここでは、画面レイアウト設定テーブル（図２２）に、１画面から４画面のときの配置画面、開始座標、画面サイズ、リモコン装置割り当て情報を対応付けて記憶する場合を示しているが、５画面以上のときの配置画面、開始座標、画面サイズ、リモコン装置割り当て情報を対応付けて記憶するようにしてもよい。
また、画面レイアウト設定テーブルに記憶されている画面サイズの大きさを固定せずに、変更可能としてもよい。例えば、表示画面１０１ｃに２画面を表示する場合に、表示画面１０１ｃに同じ大きさの画面を２つ表示するようにしてもよいし、表示画面１０１ｃの全体に１画面を表示し、もう一方の画面を小さく子画面として表示するようにしてもよい。
【００６８】
図２３は、表示装置１０１の表示画面１０１ｃに１画面を表示する場合について説明するための図である。図２３は、第１の遠隔操作端末１０２から表示装置１０１にリモコン信号を送信した場合を示している。
表示装置１０１が第１の遠隔操作端末１０２からリモコン信号を受信すると、表示出力制御部２２３は、画面レイアウト設定テーブル（図２２）に基づいて、受信順１のリモコン（第１の遠隔操作端末１０２）に対して第１の画面８０１を割り当て、その第１の画面８０１を表示画面１０１ｃに表示させる。つまり、画面レイアウト設定テーブル（図２２）の配置画面が画面１のときの開始座標、画面サイズに基づいて、第１の画面８０１（画面１）を表示画面１０１ｃに表示する。第１の画面８０１は、第１の遠隔操作端末１０２から送信されるリモコン信号により操作される。
【００６９】
図２４は、表示装置１０１の表示画面１０１ｃに２画面を表示する場合について説明するための図である。図２４は、図２３の状態において、第２の遠隔操作端末１０３から表示装置１０１にリモコン信号を送信した場合を示している。
表示装置１０１が第２の遠隔操作端末１０３からリモコン信号を受信すると、表示出力制御部２２３は、画面レイアウト設定テーブル（図２２）に基づいて、受信順１のリモコン（第１の遠隔操作端末１０２）に対して第１の画面８０１を割り当て、受信順２のリモコン（第２の遠隔操作端末１０３）に対して第２の画面８０２を割り当て、表示画面１０１ｃに表示される画像を変化（分割）させる。つまり、画面レイアウト設定テーブル（図２２）の配置画面が画面１、画面２のときの開始座標、画面サイズに基づいて、図２３のように第１の画面８０１を表示していた表示画面１０１ｃを、図２４に示すように第１の画面８０１（画面１）、第２の画面８０２（画面２）を表示画面１０１ｃに表示するように、表示画面１０１ｃを変化（分割）する。第１の画面８０１は第１の遠隔操作端末１０２から送信されるリモコン信号により、第２の画面８０２は第２の遠隔操作端末１０３から送信されるリモコン信号により、それぞれ操作される。
【００７０】
図２５は、表示装置１０１の表示画面１０１ｃに３画面を表示する場合について説明するための図である。図２５は、図２４の状態において、第３の遠隔操作端末１０４から表示装置１０１にリモコン信号を送信した場合を示している。
表示装置１０１が第３の遠隔操作端末１０４からリモコン信号を受信すると、表示出力制御部２２３は、画面レイアウト設定テーブル（図２２）に基づいて、受信順１のリモコン（第１の遠隔操作端末１０２）に対して第１の画面８０１を割り当て、受信順２のリモコン（第２の遠隔操作端末１０３）に対して第２の画面８０２を割り当て、受信順３のリモコン（第３の遠隔操作端末１０４）に対して第３の画面８０３を割り当て、表示画面１０１ｃに表示される画像を変化（分割）させる。つまり、画面レイアウト設定テーブル（図２２）の配置画面が画面１、画面２、画面３のときの開始座標、画面サイズに基づいて、図２４のように第１の画面８０１、第２の画面８０２を表示していた表示画面１０１ｃを、図２５に示すように第１の画面８０１（画面１）、第２の画面８０２（画面２）、第３の画面８０３（画面３）を表示画面１０１ｃに表示するように、表示画面１０１ｃを変化（分割）させる。第１の画面８０１は第１の遠隔操作端末１０２から送信されるリモコン信号により、第２の画面８０２は第２の遠隔操作端末１０３から送信されるリモコン信号により、第３の画面８０３は第３の遠隔操作端末１０４から送信されるリモコン信号により、それぞれ操作される。
【００７１】
図２６は、表示装置１０１の表示画面１０１ｃに４画面を表示する場合について説明するための図である。図２６は、図２５の状態において、第４の遠隔操作端末１０７から表示装置１０１にリモコン信号を送信した場合を示している。
表示装置１０１が第４の遠隔操作端末１０７からリモコン信号を受信すると、表示出力制御部２２３は、画面レイアウト設定テーブル（図２２）に基づいて、受信順１のリモコン（第１の遠隔操作端末１０２）に対して第１の画面８０１を割り当て、受信順２のリモコン（第２の遠隔操作端末１０３）に対して第２の画面８０２を割り当て、受信順３のリモコン（第３の遠隔操作端末１０４）に対して第３の画面８０３を割り当て、受信順４のリモコン（第４の遠隔操作端末１０７）に対して第４の画面８０４を割り当て、表示画面１０１ｃに表示される画像を変化（分割）させる。つまり、画面レイアウト設定テーブル（図２２）の配置画面が画面１、画面２、画面３、画面４のときの開始座標、画面サイズに基づいて、図２５のように第１の画面８０１、第２の画面８０２、第３の画面８０３を表示していた表示画面１０１ｃを、図２６に示すように第１の画面８０１（画面１）、第２の画面８０２（画面２）、第３の画面８０３（画面３）、第４の画面８０４を表示画面１０１ｃに表示するように、表示画面１０１ｃを変化（分割）させる。第１の画面８０１は第１の遠隔操作端末１０２から送信するリモコン信号により、第２の画面８０２は第２の遠隔操作端末１０３から送信するリモコン信号により、第３の画面８０３は第３の遠隔操作端末１０４から送信するリモコン信号により、第４の画面８０４は第４の遠隔操作端末１０７から送信するリモコン信号により、それぞれ操作される。
【００７２】
図２７は、画面レイアウト制御部７０４（図２１）が記憶するラスト情報管理テーブルの一例を示す図である。ラスト情報管理テーブルは、表示装置１０１が本体電源ＯＦＦ状態又はリモコン電源ＯＦＦ状態に入る際における直近の状態を示すラスト情報を記憶するテーブルである。ラスト情報管理テーブルには、各リモコンから送信された最新のリモコン信号に基づいて、信号種類ＩＤ、ラスト情報（ＴＶアプリケーション）、ラスト情報（パラメータ）が対応付けられて記憶される。
信号種類ＩＤは、リモコン装置から送信された各リモコン信号の種類を識別するためのＩＤである。ラスト情報（ＴＶアプリケーション）は、直近に利用したＴＶアプリケーションを記憶した情報である。ラスト情報（パラメータ）は、直近に利用したＴＶアプリケーションに関連するパラメータを記憶した情報である。
ラスト情報管理テーブルに記憶される信号種類ＩＤの数は製品仕様によって決められる。ラスト情報に、セキュリティ設定や、有料放送視聴など、後で再現されると不都合がある場合などの判定は、ＴＶアプリケーションに基づいて行われる。
【００７３】
図２８は、コマンド判別部７０２（図２１）が記憶する受信順ＩＤテーブルの一例を示す図である。受信順ＩＤテーブルには、受信順ＩＤ、信号種類ＩＤ、禁止コマンドが対応付けて記憶される。受信順ＩＤは、表示装置１０１でリモコン信号が、受信された順番に付与されるＩＤである。信号種類ＩＤは、各リモコン装置を一意に識別するためのＩＤである。
表示装置１０１で新しいリモコン信号が受信されると、それに応じて受信順ＩＤテーブルには、新しい受信順ＩＤが付加される。あるリモコン信号を送信しているリモコン装置が使われなくなると、そのリモコン装置に関する受信順ＩＤが受信順ＩＤテーブルから削除され、その後の受信順ＩＤが繰り上がる。
また、この受信順ＩＤテーブルには、それぞれの受信順ＩＤに対する禁止コマンドが対応付けて記憶されている。この禁止コマンドは、複数のリモコン装置から、表示装置１０１に対する同じ操作を指示するリモコンが送信されることにより、利用者間に混乱が起きることを防ぐためのものである。
【００７４】
図２１に戻り、音声制御部７０８は、１つ又は複数の音声を出力する際の優先度、音声がステレオである場合の左右の振り分け、ミックスの比率などを決定する。決定された優先度、又はミックスの比率に従って、音声出力制御部７０７にて、音声の出力の制御が行われる。ここでは、音声の優先順位、左右の振り分け、ミックスを含めて制御が行われる。
個人情報記憶制御部７０９は、信号種類ＩＤからリモコン信号を送信したリモコン装置を特定して、受信順ＩＤを最優先にしたり、個人ごとに特定の操作を許可する際に、個人情報記憶部２２４（図２）から情報を読み出したり、書き込んだりする際の制御を行う。
【００７５】
図２９は、本発明の実施形態による表示装置１０１の処理の一例を示すフローチャートである。図２９のフローチャートは、表示装置１０１の表示画面１０１ｃを変形（分割）して、表示画面１０１ｃに表示する画面を追加する場合の処理を示している。
始めに、コマンド入力部７０１（図２１）は、コマンド送信部４０４（図１２）からの操作種類ＩＤ、受信順ＩＤ及び操作コマンド信号を受信する（ステップＳ１００１）。
次に、コマンド判別部７０２は、現在の電源状態を確認することにより、本体電源ＯＮ初期状態であるか否かについて判定する（ステップＳ１００２）。ステップＳ１００２で本体電源ＯＮ初期状態であると判定した場合には、後述する図３３のステップＳ１３０１の処理へ進む。
一方、ステップＳ１００２で本体電源ＯＮ初期状態ではないと判定した場合には、信号種類処理部２０３は新しい受信順ＩＤが来たか否かについて判定する（ステップＳ１００３）。つまり、信号種類処理部２０３は信号検出部２０２で判別したリモコン信号の発信元に基づいて、受信したリモコン信号による操作が有効であるか否かを識別する。ここで、信号種類処理部２０３は、リモコン信号の発信元の受信順ＩＤを記憶し、受信した受信順ＩＤに基づいて受信したリモコン信号が有効であるか否かを識別する。より具体的には、信号検出部２０２が判別したリモコン信号の発信元が新規の発信元である、つまり、その発信元のリモコンからのリモコン信号の受信履歴がない場合には操作が有効であると判定する。この判定では、新しい受信順ＩＤであることを示すフラグをコマンド送信部４０４（図１２）から送信されている場合にはそれを参照することにより行う。
ステップＳ１００３で新しい受信順ＩＤを受信していないと判定した場合には、後述する図３０のステップＳ１１０１ｃへ進む。
【００７６】
ステップＳ１００３で新しい受信順ＩＤを受信したと判定した場合には、その受信順ＩＤを受信順ＩＤテーブル（図２８）に記録し、そのリモコン信号の操作コマンドが、リモコン電源であるか否かについて判定する（ステップＳ１００４）。
ステップＳ１００４で操作コマンドがリモコン電源ではないと判定した場合には、その操作コマンドが受信順ＩＤにおける禁止コマンドであるか否かについて判定する（ステップＳ１００５）。
ステップＳ１００５で操作コマンドが受信順ＩＤにおける禁止コマンドであると判定した場合には、画面に「その操作はできない」旨のメッセージ表示することにより、エラー表示を行う（ステップＳ１００６）。製品仕様によっては、この表示を省略する場合もある。
【００７７】
そして、新たな受信順ＩＤに対応する新たな画面の生成、全体レイアウト変更を行うことにより、表示画面を変化させる（ステップＳ１００７）。つまり、表示部２２５は信号種類処理部２０３が行った操作が、ステップＳ１００３において有効な操作である場合に、受信したリモコン信号に応じて表示画面を変化させる。ここで、表示部２２５は、既に受信したリモコン信号の発信元により操作される表示画面と受信したリモコン信号の発信元により操作される表示画面とに表示画面を分割する。この分割の処理は、リモコン信号の受信順ＩＤに基づいて、発信元が操作する表示画面の開始座標（位置）及び画面サイズ（大きさ）を決定し、その決定された開始座標及び画面サイズで表示する。この際の画面レイアウトは画面レイアウト設定テーブル（図２２）に従う。
【００７８】
次に、今回受信した操作種類ＩＤにおいて、過去の視聴履歴があるか否かを、ラスト情報管理テーブル（図２７）に基づいて判定する（ステップＳ１００８）。
ステップＳ１００８で過去の視聴履歴がないと判定した場合には、新たに生成された画面にて初期ＴＶアプリケーションを起動し、その画面にて操作コマンドに応じた情報を表示する（ステップＳ１００９）。
ステップＳ１００８で過去の視聴履歴があると判定した場合には、ラスト情報管理テーブル（図２７）に基づいて、操作種類ＩＤに対応するＴＶアプリケーションを起動し、表示画面１０１ｃに操作コマンドに応じた情報を表示する（ステップＳ１０１０）。
ステップＳ１００５〜Ｓ１０１０の処理を行うことにより、新しいリモコン装置でボタンを押した場合に、すぐに表示画面１０１ｃに表示されている画像を変形（分割）して、その画像をリモコン装置により操作することが可能となる。
【００７９】
一方、ステップＳ１００４で操作コマンドがリモコン電源であると判定した場合には、以下のステップＳ１０１１〜Ｓ１０１４の処理を行う。このときの状態は、（１）リモコン電源ＯＦＦの状態から、リモコン電源ＯＮにした状態（表示画面１０１ｃに画像が表示されていない）、（２）リモコン電源ＯＮ状態（既に１つ以上の画面が表示されてる）から、リモコン電源ＯＮにした状態、の２つの状態があるが、リモコン電源ＯＦＦの状態から、リモコン電源ＯＮにしたばかりの時は、１番最初は０画面の扱いであり、受信順ＩＤ＝１は新しい受信順ＩＤとして設定する。すなわち、新しい画面の追加で１画面となる。
【００８０】
ステップＳ１００４で操作コマンドがリモコン電源であると判定した場合には、新たな受信順ＩＤに対応する新たな画面の生成、全体レイアウト変更を、画面レイアウト制御部７０４が行う（ステップＳ１０１１）。この際の画面レイアウトは画面レイアウト設定テーブル（図２２）に従う。
次に、今回受信した操作種類ＩＤにおいて、過去の視聴履歴があるか否かをラスト情報管理テーブル（図２７）に基づいて判定する（ステップＳ１０１２）。
過去の視聴履歴がない場合には、新たに生成された画面にて初期ＴＶアプリケーションを起動する（ステップＳ１０１３）。
過去の視聴履歴がある場合には、ラスト情報管理テーブル（図２７）に基づいて、操作種類ＩＤに対応するＴＶアプリケーションを起動し、ラスト情報を表示する（ステップＳ１０１４）。
【００８１】
上述したように、本発明の実施形態では、リモコン装置から送信されるリモコン信号をリモコン信号受信部２０１が受信する（図１８のステップＳ５０１）。
そして、リモコン信号受信部２０１が受信したリモコン信号の発信元を、そのリモコン信号の信号種類に基づいて信号検出部２０２が判別する（図１９のステップＳ６０１）。
そして、リモコン信号受信部２０１が受信した信号と同じ信号種類の受信の履歴があるか否かを信号種類の受信順ＩＤ（受信順序の情報）に基づいて信号種類処理部２０３が判定することにより（図１９のステップＳ６０４）、リモコン信号による操作が有効であるか否かを信号種類処理部２０３が識別する（図２９のステップＳ１００３）。
そして、信号種類処理部２０３が受信履歴なしと判定した場合、つまりリモコン信号による操作が有効であると判定した場合には、受信したリモコン信号に応じて表示画面１０１ｃを表示部２２５が変化させる。
【００８２】
図３０は、本発明の実施形態による表示装置１０１の処理の一例を示すフローチャートである。図３０のフローチャートは、複数画面利用時、使用終了時の処理を示している。
始めに、コマンド判別部７０２にて、受信順ＩＤが１であるか否かに基づいて、操作順ＩＤが最初に記録されたものであるか否かについて判定する（ステップＳ１１０１）。
ステップＳ１１０１で操作順ＩＤが最初に記録されたものではないと判定した場合には、コマンド判別部７０２にて、受信順ＩＤが２であるか否かに基づいて、操作順ＩＤが次に記録されたものであるか否かについて判定する（ステップＳ１１０２）。
ステップＳ１１０２で操作順ＩＤが次に記録されたものではないと判定した場合には、コマンド判別部７０２にて、受信順ＩＤが２であるか否かに基づいて、さらに次に記録された操作種類ＩＤか否かについて判定する（ステップＳ１１０３）。
このように、受信順ＩＤの順番に、登録されている受信順ＩＤの数だけ判定する。受信順ＩＤが記憶されていた場合の処理はほぼ同様で、Ｓ１１０４の処理を行う。つまり、コマンド判別部７０２にて、１番目でない受信順ＩＤであった場合、その操作コマンドがリモコン電源であるか否かについて判定する（ステップＳ１１０４）。
【００８３】
ステップＳ１１０４で操作コマンドがリモコン電源ではないと判定した場合には、操作コマンドが受信順ＩＤにおける禁止コマンドであるか否かについて判定する（ステップＳ１１０５）。
【００８４】
ステップＳ１１０５で操作コマンドが受信順ＩＤにおける禁止コマンドであると判定した場合には、画面に「その操作はできない」旨のメッセージ表示を行う（ステップＳ１１０６）。製品仕様によっては、この表示を省略する場合もある。
ステップＳ１１０５で操作コマンドが受信順ＩＤにおける禁止コマンドではないと判定した場合には、操作種類ＩＤに対応する画面が既に存在するので、そのＴＶアプリケーション画面におけるコマンドの実行を行う（ステップＳ１１０７）。
ステップＳ１１０４で操作コマンドがリモコン電源であると判定した場合には、この受信順ＩＤの画面を終了する処理を行う。まず、操作種類ＩＤに対応する画面の状態を、ラスト情報テーブルに保存する（ステップＳ１１０８）。続いて、コマンド判別部７０２にて、この受信順ＩＤを消去し、続いて信号種類処理部２０３にて、操作種類ＩＤの履歴フラグ、受信順ＩＤを削除する（ステップＳ１１０９）。そして、操作種類ＩＤに対応する画面の削除及びＴＶアプリケーションを終了し、全体のレイアウト変更、受信順ＩＤの繰上げを行う（ステップＳ１１１０）。
以上が、受信順ＩＤが既存であって、２番目移行のリモコン信号を受信した場合の処理である。
【００８５】
ステップＳ１１０１で操作順ＩＤが最初に記録されたものであると判定した場合には、操作コマンドがリモコン電源であるか否かについて判定する（ステップＳ１１１１）。
ステップＳ１１１１で操作コマンドがリモコン電源ではないと判定した場合には、操作コマンドが受信順ＩＤにおける禁止コマンドであるか否かについて判定する（ステップＳ１１１２）。
ステップＳ１１１２で操作コマンドが受信順ＩＤにおける禁止コマンドであると判定した場合には、画面に「その操作はできない」旨のメッセージ表示を行うことにより、エラー表示を行う（ステップＳ１１１３）。製品仕様によっては、この表示を省略する場合もある。
ステップＳ１１１２で操作コマンドが受信順ＩＤにおける禁止コマンドではないと判定した場合には、操作種類ＩＤに対応する画面が既に存在するので、そのＴＶアプリケーション画面におけるコマンドの実行を行う（ステップＳ１１１４）。
【００８６】
ステップＳ１１１１で操作コマンドがリモコン電源であると判定した場合には、テレビ全体のリモコン電源をＯＦＦ状態にする。そのために、全ての受信順ＩＤの画面を終了する処理を行う。まず、全ての操作種類ＩＤに対応する画面の状態を、ラスト情報テーブルに保存する（ステップＳ１１１５）。続いて、コマンド判別部７０２にて、全ての受信順ＩＤを消去し、続いて信号種類処理部２０３にて、全ての操作種類ＩＤの履歴フラグ、受信順ＩＤを削除する（ステップＳ１１１６）。そして、全ての操作種類ＩＤに対応する画面の削除及びＴＶアプリケーションを終了し、リモコン電源ＯＦＦの処理を行う（ステップＳ１１１７）。
【００８７】
図３１及び図３２は、本発明の実施形態による表示装置１０１の処理の一例を示すフローチャートである。図３１及び図３２のフローチャートは、本体電源スイッチを押下時の処理を示している。
まず、リモコン電源ＯＮ状態、リモコン電源ＯＦＦ状態の際の処理を、図３１を参照して説明する。始めに、本体の電源スイッチを押下する（ステップＳ１２０１）。
そして、全ての受信順ＩＤの画面を終了する処理を行う。使用されている全ての操作種類ＩＤに対応する画面の状態をラスト情報テーブルに記録する。最初に画面表示された操作種類ＩＤがあれば、それを記憶する（ステップＳ１２０２）。
続いて、コマンド判別部７０２にて、全ての受信順ＩＤを消去し、続いて信号種類処理部２０３にて、全ての操作種類ＩＤの履歴フラグ、受信順ＩＤを削除する（ステップＳ１２０３）。
そして、全ての操作種類ＩＤに対応する画面の削除及びＴＶアプリケーションを終了し、本体電源ＯＦＦの処理を行う（ステップＳ１２０４）。
【００８８】
次に、本体電源ＯＦＦ状態の際の処理を、図３２を参照して説明する。始めに、本体電源のスイッチを押下する（ステップＳ１２０５）。次に、本体電源ＯＮ処理、初期化を行う（ステップＳ１２０６）。
そして、前回、最初に登録された操作種類ＩＤの使用されている操作種類ＩＤに対応するラスト情報のアプリケーションを起動して表示画面１０１ｃに表示する（ステップＳ１２０７）。そして、本体電源ＯＮ初期状態へ移行する（ステップＳ１２０８）。
【００８９】
図３３は、本発明の実施形態による表示装置１０１の処理の一例を示すフローチャートである。図３３のフローチャートは、本体電源ＯＮ初期状態時にコマンドを受けたときの処理を示しており、図２９のステップＳ１００２の処理に続いて行われる。
始めに、コマンド判別部７０２にて、操作コマンドがリモコン電源か否かについて判定する（ステップＳ１３０１）。
【００９０】
ステップＳ１３０１で操作コマンドがリモコン電源ではないと判定した場合には、操作コマンドが受信順ＩＤにおける禁止コマンドか否かについて判定する（ステップＳ１３０２）。
ステップＳ１３０２で操作コマンドが受信順ＩＤにおける禁止コマンドであると判定した場合には、画面に「その操作はできない」旨のメッセージ表示を行うことにより、エラー表示を行う（ステップＳ１３０３）。製品仕様によっては、この表示を省略する場合もある。
ステップＳ１３０２で操作コマンドが受信順ＩＤにおける禁止コマンドではないと判定した場合には、リモコン電源ＯＮ状態へ移行する（ステップＳ１３０４）。そして、その時点で写っている画面を、現在の操作種類ＩＤに対応させる（ステップＳ１３０５）。そして、操作種類ＩＤに対応するＴＶアプリケーション画面におけるコマンドを実行する（ステップＳ１３０６）。
【００９１】
一方、ステップＳ１３０１で操作コマンドがリモコン電源であると判定した場合には、テレビ全体のリモコン電源をＯＦＦ状態にする。まず、現在の画面を、現在の操作種類ＩＤに対応させる（ステップＳ１３０７）。
そして、操作種類ＩＤに対応する画面の状態を、ラスト情報テーブルに保存する（ステップＳ１３０８）。
【００９２】
続いて、コマンド判別部７０２にて、全ての受信順ＩＤを消去し、続いて信号種類処理部２０３にて、全ての操作種類ＩＤの履歴フラグ、受信順ＩＤを削除する（ステップＳ１３０９）。
そして、リモコン電源ＯＦＦ処理を行い、リモコン電源ＯＦＦ状態へ移行する（ステップＳ１３１０）。
【００９３】
図３４は、本発明の実施形態による表示装置１０１の処理の一例を示すフローチャートである。図３４のフローチャートは、オリジナルリモコン信号による、表示画面１０１ｃに表示される画像の分割時の処理を示している。
図３４のステップＳ１４０１の処理は、図２９のステップＳ１００９、Ｓ１０１０において、コマンド種類が、通常のテレビ視聴以外のオリジナルのコマンドである場合に行う。この場合、コマンド種類によって、オリジナルアプリケーションを特定する情報は、図２０のテーブルに記憶しておく必要があるが、アプリケーションが起動してからのそのコマンドの処理は、アプリケーションに依存する。
【００９４】
図３５は、本発明の実施形態による表示装置１０１の処理の一例を示すフローチャートである。図３５のフローチャートは、オリジナルリモコン信号による、画面分割終了時の処理を示している。図３０のステップＳ１１０７の処理から、オリジナルのアプリケーションを終了した場合も、オリジナルアプリケーションを特定する情報は、図２０のテーブルに記憶しておく必要があるが、そのコマンドの処理は、アプリケーションに依存する。
【００９５】
これまでに述べたように、本発明の実施形態による表示システムを使用することにより、１つ目のリモコン装置が最初に使用開始して番組視聴中に、新たに別のリモコン信号にて操作を開始すると、表示画面１０１ｃに表示される画像が分割し、それぞれのリモコン装置でそれぞれの画像の操作を行うことができる。一人で使用するときは、個人で、どのリモコン装置を用いても同様の操作ができ、複数の人員が異なる用途でテレビを使う際、画面を複数に分割して、複数の用途に応じた表示、操作が容易になる。
また、使用開始順にて、操作できる機能とできない機能を設定できるので、複数のリモコン装置から同種類のリモコン信号が表示装置１０１に同時に送信されることにより利用者の希望する動作が表示装置１０１において行われないことを防ぐことができる。
【００９６】
なお、以上説明した実施形態において、図２のリモコン電源制御部２１３、本体電源制御部２１４、表示部２２５、出力制御部２０４、音声再生制御部２２１、表示出力制御部２２３、個人情報記憶部２２４、図３のリモコン信号受信部２０１、信号検出部２０２、信号種類処理部２０３、図４のチューナー２０５ａ、２０５ｂ、通信部２０６、入力ソース制御部２０７ａ、２０７ｂ、２０７ｃ、画像表示部２０８ａ、２０８ｂ、２０８ｃ、画面レイアウト設定部２１０、全体画面表示部２１１、図８の操作入力部９０１ｂ、信号生成部９０２ｂ、信号出力部９０３ｂ、図１２のリーダー信号検出部４０１、データ信号検出部４０２、コマンド解釈部４０３、コマンド送信部４０４、図２１のコマンド入力部７０１、コマンド判別部７０２、表示出力制御部７０３、画面レイアウト制御部７０４、アプリ管理部７０５、音声制御部７０８、音声出力制御部７０７、個人情報記憶制御部７０９、操作補助制御部７１０の機能又はこれらの機能の一部を実現するためのプログラムをコンピュータ読み取り可能な記録媒体に記録して、この記録媒体に記録されたプログラムをコンピュータシステムに読み込ませ、実行することにより表示装置や遠隔操作端末の制御を行ってもよい。なお、ここでいう「コンピュータシステム」とは、ＯＳや周辺機器等のハードウェアを含むものとする。
【００９７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９８】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００９９】
【図１】本発明の実施形態による表示システムの概略構成図である。
【図２】本発明の実施形態による表示装置１０１（図１）の構成の一例を示す機能ブロック図である。
【図３】本発明の実施形態による信号判別部２２２（図２）の構成の一例を示す機能ブロック図である。
【図４】本発明の実施形態による表示出力制御部２２３、音声出力制御部２２１（図２）の構成の一例を示す機能ブロック図である。
【図５】本発明の実施形態による表示装置（本体）の電源２００（図２）の状態遷移図の一例である。
【図６】本発明の実施形態による表示装置（本体）の電源２００（図２）の状態遷移図の他の一例である。
【図７】本発明の実施形態によるリモコン装置の外観の一例を示す図である。
【図８】本発明の実施形態による第１の遠隔操作端末１０２の構成の一例を示す機能ブロック図である。
【図９】本発明の実施形態によるリモコン信号受信部２０１（図３）の構成の一例を示す機能ブロック図である。
【図１０】リモコン信号受信部２０１が利用するキャリア周波数が３８ｋＨｚである場合について説明するための図である。
【図１１】本発明の実施形態によるバンドパスフィルター３０２の特性の一例を示すグラフである。
【図１２】本発明の実施形態による信号検出部２０２（図３）の構成の一例を示す機能ブロック図である。
【図１３】ＰＰＭの変調符号化方式について説明するための図である。
【図１４】本発明の実施形態で用いられるリモコン信号のデータ構成の一例を示す図である。
【図１５】データ信号の一例について説明するための図である。このデータ信号は、上述したＮＥＣフォーマットの例を示している。
【図１６】データ信号の他の一例について説明するための図である。このデータ信号は、家製協フォーマットの例を示している。
【図１７】本発明の実施形態による信号種類処理部２０３が記憶する履歴管理テーブルの一例を示す図である。
【図１８】本発明の実施形態による表示装置１０１の処理の一例を示すフローチャートである。
【図１９】本発明の実施形態による表示装置１０１の処理の一例を示すフローチャートである。
【図２０】コマンド解釈部４０３に記憶される情報の一例を示す図である。
【図２１】本発明の実施形態による出力制御部２０４（図２）の構成の一例を示す機能ブロック図である。
【図２２】画面レイアウト制御部７０４（図２１）が記憶する画面レイアウト設定テーブルの一例を示す図である。
【図２３】表示装置１０１の表示画面に１画面を表示する場合について説明するための図である。
【図２４】表示装置１０１の表示画面に２画面を表示する場合について説明するための図である。
【図２５】表示装置１０１の表示画面に３画面を表示する場合について説明するための図である。
【図２６】表示装置１０１の表示画面に４画面を表示する場合について説明するための図である。
【図２７】画面レイアウト制御部７０４（図２１）が記憶するラスト情報管理テーブルの一例を示す図である。
【図２８】コマンド判別部７０２（図２１）が記憶する受信順ＩＤテーブルの一例を示す図である。
【図２９】本発明の実施形態による表示装置１０１の処理の一例を示すフローチャートである。
【図３０】本発明の実施形態による表示装置１０１の処理の一例を示すフローチャートである。
【図３１】本発明の実施形態による表示装置１０１の処理の一例を示すフローチャートである。
【図３２】本発明の実施形態による表示装置１０１の処理の一例を示すフローチャートである。
【図３３】本発明の実施形態による表示装置１０１の処理の一例を示すフローチャートである。
【図３４】本発明の実施形態による表示装置１０１の処理の一例を示すフローチャートである。
【図３５】本発明の実施形態による表示装置１０１の処理の一例を示すフローチャートである。
【符号の説明】
【０１００】
１０１ｃ・・・表示装置、１０２・・・第１の遠隔操作端末、１０３・・・第２の遠隔操作端末、１０４・・・第３の遠隔操作端末、１０７・・・第４の遠隔操作端末、２０１・・・リモコン信号受信部、２０２・・・信号検出部、２０３・・・信号種類処理部、２０４・・・出力制御部、２０５ａ、２０５ｂ・・・チューナー、２０６・・・通信部、２０７ａ、２０７ｂ、２０７ｃ・・・入力ソース制御部、２０８ａ、２０８ｂ、２０８ｃ・・・画像表示部、２１０・・・画面レイアウト設定部、２１１・・・全体画面表示部、２１３・・・リモコン電源制御部、２１４・・・本体電源制御部、２２１・・・音声再生制御部、２２２・・・信号判別部、２２３・・・表示出力制御部、２２４・・・個人情報記憶部、２２５・・・表示部、４０１・・・リーダー信号検出部、４０２・・・データ信号検出部、４０３・・・コマンド解釈部、４０４・・・コマンド送信部、９０１ｂ・・・操作入力部、９０２ｂ・・・信号生成部、９０３ｂ・・・信号出力部
【図１】
2008011050.tif 000003
【図２】
2008011050.tif 000004
【図３】
2008011050.tif 000005
【図４】
2008011050.tif 000006
【図５】
2008011050.tif 000007
【図６】
2008011050.tif 000008
【図７】
2008011050.tif 000009
【図８】
2008011050.tif 000010
【図９】
2008011050.tif 000011
【図１０】
2008011050.tif 000012
【図１１】
2008011050.tif 000013
【図１２】
2008011050.tif 000014
【図１３】
2008011050.tif 000015
【図１４】
2008011050.tif 000016
【図１５】
2008011050.tif 000017
【図１６】
2008011050.tif 000018
【図１７】
2008011050.tif 000019
【図１８】
2008011050.tif 000020
【図１９】
2008011050.tif 000021
【図２０】
2008011050.tif 000022
【図２１】
2008011050.tif 000023
【図２２】
2008011050.tif 000024
【図２３】
2008011050.tif 000025
【図２４】
2008011050.tif 000026
【図２５】
2008011050.tif 000027
【図２６】
2008011050.tif 000028
【図２７】
2008011050.tif 000029
【図２８】
2008011050.tif 000030
【図２９】
2008011050.tif 000031
【図３０】
2008011050.tif 000032
【図３１】
2008011050.tif 000033
【図３２】
2008011050.tif 000034
【図３３】
2008011050.tif 000035
【図３４】
2008011050.tif 000036
【図３５】
2008011050.tif 000037